(57)【要約】【課題】用紙の跳ね音を抑制することができる画像形成装置を提供する。【解決手段】用紙Ｓを支持可能であり、用紙Ｓを一枚ずつ分離しながら給紙するための分離パッド３１を有する給紙トレイ３と、給紙トレイ３を用紙Ｓの給紙方向と平行な方向へ引出し可能に支持する装置本体２と、を備え、装置本体２は、給紙トレイ３に支持された用紙Ｓを繰り出す給紙ローラ５１と、給紙ローラ５１よりも当該給紙ローラ５１の給紙方向下流側に配置され、分離パッド３１とニップ点Ｎを形成する分離ローラ５２と、ニップ点Ｎを通過した用紙Ｓを案内するシュート５４と、を有し、シュート５４は、前記給紙方向上流側の下端部５４Ａが、給紙ローラ５１と用紙Ｓとの接触点Ｑにおける接線Ｌよりも下方、且つ分離ローラ５２のニップ点Ｎよりも記給紙方向上流側となる領域まで延出している。【選択図】図４
2018162129.tif 000002
【特許請求の範囲】
【請求項１】
用紙を支持可能であり、前記用紙を一枚ずつ分離しながら給紙するための摩擦部材を有する給紙トレイと、
前記給紙トレイを用紙の給紙方向と平行な方向へ引出し可能に支持する装置本体と、
を備え、
前記装置本体は、
前記給紙トレイに支持された用紙を繰り出す給紙ローラと、
前記給紙ローラよりも当該給紙ローラの給紙方向下流側に配置され、前記摩擦部材とニップ点を形成する分離ローラと、
前記ニップ点を通過した前記用紙を案内するシュートと、
を有し、
前記シュートは、前記給紙方向上流側の端部が、前記給紙ローラと前記用紙との接触点における接線よりも下方、且つ前記分離ローラのニップ点よりも前記給紙方向上流側となる領域まで延出している、
ことを特徴とする画像形成装置。
【請求項２】
前記給紙トレイは、
前記摩擦部材の前記給紙方向下流側に配置され、前記シュートに向かって突出し、搬送される前記用紙を前記シュートに向けて案内する案内ガイド部を有する、
ことを特徴とする、請求項１に記載の画像形成装置。
【請求項３】
前記給紙トレイは、
前記給紙トレイに支持される前記用紙を押し上げる押圧板を備え、
前記押圧板は、
前記給紙方向下流側端部が、前記シュートの前記給紙方向上流側端部よりも上方の位置まで変位可能に前記給紙トレイに支持されている、
ことを特徴とする、請求項１または請求項２に記載の用紙搬送装置。
【請求項４】
前記シュートの前記用紙との当接面は平坦に形成されている、
ことを特徴とする、請求項１〜請求項３の何れか１項に記載の画像形成装置。
【請求項５】
前記シュートは、板金によって形成される、
ことを特徴とする、請求項１〜請求項４の何れか１項に記載の画像形成装置。
【請求項６】
前記給紙トレイは、
前記摩擦部材及び前記分離ローラの前記給紙方向下流側に配置され、前記用紙に付着する紙粉を除去するための紙粉取ローラを有し、
前記案内ガイド部は、前記紙粉取ローラの前記給紙方向と直交する方向の両端部に設けられる、
ことを特徴とする、請求項２〜５の何れか１項に記載の画像形成装置。
【発明の詳細な説明】
【技術分野】
【０００１】
本発明は、画像形成装置の技術に関する。
【背景技術】
【０００２】
従来より、用紙を支持可能であり、前記用紙を一枚ずつ分離しながら給紙するための摩擦部材を有する給紙トレイと、前記給紙トレイを前記用紙の搬送方向に沿った方向へ移動可能に支持する装置本体とを備えた画像形成装置が知られている。
前記画像形成装置においては、例えば、用紙を搬送する送りローラ（給紙ローラ及び分離ローラ等）、及び用紙の搬送方向における前記送りローラの下流側に設けられたシュートを備え、前記シュートにより構成される用紙搬送路が湾曲形状に形成されたものがある（例えば、特許文献１を参照）。
【先行技術文献】
【特許文献】
【０００３】
【特許文献１】特開２００９−７１２３号公報
【発明の概要】
【発明が解決しようとする課題】
【０００４】
ここで、このような画像形成装置においては、給紙トレイが装置本体に移動可能に支持されていることから、用紙を案内するシュートは、給紙トレイ側に設けられる第１シュートと、装置本体側に設けられる第２シュートとに分割された構成となっている。
従って、給紙トレイ側の用紙搬送路から装置本体側の用紙搬送路へ用紙を搬送する場合に、用紙の前端が第１シュートと第２シュートとの境界部に引っかかるのを防止するため、第１シュートと第２シュートとの間に段差（以下、単に「段差部」と記載する）を設けて、装置本体側の第２シュートで用紙を受ける構成とする必要がある。
そのため、例えば腰の強い厚手の用紙を用いる場合には、用紙の搬送方向における後端が前記段差部を通過した直後に、自身の弾性力によって装置本体側の第２シュートに跳ね当たり、跳ね音が発生するという問題があった。
【０００５】
そこで、前記特許文献１においては、このような段差部における跳ね音を抑制するために、シュートの段差部を、用紙の幅方向の両端部から中央部へいくに従って搬送方向下流側に向う方向に傾斜するように構成し、用紙の搬送方向における後端が前記段差部を通過する際に、用紙の幅方向の両端部側から中央部側へ向かって徐々に装置本体側の第２シュートに乗移るような構成となっている。
しかしながら、このような構成を有するとしても、湾曲する用紙搬送路においては、案内される用紙に発生する弾性力も大きいこととから、用紙の搬送方向における後端の幅方向中央部が段差部を通過して装置本体側の第２シュートに乗移る際に、前記用紙の後端が第２シュートに跳ね当たり、跳ね音が発生することが懸念されていた。
【０００６】
本発明は、以上に示した現状の問題点を鑑みてなされたものであり、用紙の跳ね音を抑制することができる画像形成装置を提供することを課題とする。
【課題を解決するための手段】
【０００７】
本発明の解決しようとする課題は以上の如くであり、次にこの課題を解決するための手段を説明する。
【０００８】
上記課題を解決する画像形成装置は、以下の特徴を有する。
即ち、画像形成装置（１）は、用紙を支持可能であり、用紙を一枚ずつ分離しながら給紙するための摩擦部材（３１）を有する給紙トレイ（３）と、給紙トレイ（３）を用紙の給紙方向と平行な方向へ引出し可能に支持する装置本体（２）と、を備え、装置本体（２）は、給紙トレイ（３）に支持された用紙を繰り出す給紙ローラ（５１）と、給紙ローラ（５１）よりも当該給紙ローラ（５１）の給紙方向下流側に配置され、摩擦部材（３１）とニップ点（Ｎ）を形成する分離ローラ（５２）と、ニップ点（Ｎ）を通過した用紙を案内するシュート（５４）と、を有し、シュート（５４）は、給紙方向上流側の端部（５４Ａ）が、給紙ローラ（５１）と用紙との接触点（Ｑ）における接線（Ｌ）よりも下方、且つ分離ローラ（５２）のニップ点（Ｎ）よりも給紙方向上流側となる領域まで延出している。
【発明の効果】
【０００９】
本発明によれば、画像形成装置において、用紙の跳ね音を抑制することができる。
【図面の簡単な説明】
【００１０】
【図１】画像形成装置を示す中央断面図である。
【図２】給紙トレイを挿着した状態の画像形成装置を示す斜視図である。
【図３】給紙トレイを引出した状態の画像形成装置を示す斜視図である。
【図４】装置本体に挿着された状態の給紙トレイにおいて給紙ローラ及び分離ローラの近傍を示す図であって、図２中の矢視Ａの方向に見た拡大断面図である。
【図５】装置本体に挿着された状態の給紙トレイにおいて給紙ローラ及び分離ローラの近傍を示す図であって、図２中の矢視Ｂの方向に見た拡大断面図である。
【図６】給紙トレイの全体構成を示す図であって、装置本体側から見た斜視図である。
【図７】従来の給紙トレイの全体構成を示す図であって、装置本体側から見た斜視図である。
【発明を実施するための形態】
【００１１】
次に、本発明を実施するための形態を、添付の図面を用いて説明する。
【００１２】
[画像形成装置１の全体構成]
図１〜図３に示す画像形成装置１は、本発明に係る画像形成装置の一実施形態であり、装置本体２と、装置本体２の下部に設けられる給紙トレイ３とを備える。また、装置本体２は、略直方体形状に形成される筐体２１を有し、筐体２１の内部には、用紙Ｓに画像を形成する画像形成部４や、給紙トレイ３より画像形成部４に用紙Ｓを供給する給紙部５や、画像形成部４を駆動する駆動源の一例であるモータ６などが設けられている。
【００１３】
なお、以下の説明においては、図１における右側を画像形成装置１の前側、図１における左側を画像形成装置１の後側と規定し、図１における紙面手前側を画像形成装置１の右側、図１における紙面奥側を画像形成装置１の左側と規定する。また、図１における上下方向を画像形成装置１の上下方向と規定する。
【００１４】
筐体２１の前面には開口部２１Ａが形成されている。また、筐体２１の上面には、前側から後側へ向かって下り傾斜するように凹む排紙トレイ２２が形成されている。
そして、筐体２１は、画像形成部４及び給紙部５を収容している。
【００１５】
装置本体２は開口部２１Ａを開閉可能なフロントカバー２３を備えている。フロントカバー２３は、下端部の回動軸２３Ａを中心として回動可能に構成されており、回動軸２３Ａを中心として回動することにより、開口部２１Ａを塞ぐ閉位置と、開口部２１Ａを開放する開位置との間で変位することが可能である。
【００１６】
フロントカバー２３は、用紙Ｓを手差し可能な手差しスロット２４、及び手差しスロット２４を開閉可能な手差しスロットカバー２５を有している。手差しスロットカバー２５は、下端部の回動軸２５Ａを中心として回動可能であり、回動軸２５Ａを中心として回動することにより、手差しスロット２４を塞ぐ閉位置と、手差しスロット２４を開放する開位置との間で変位することが可能である。
【００１７】
給紙部５は、給紙ローラ５１と、分離ローラ５２と、中間搬送ローラ対５３Ａ、５３Ｂと、シュート５４と、レジストローラ対５５Ａ、５５Ｂとを有している。
【００１８】
そして、装置本体２（より具体的には、筐体２１）の内部には、給紙トレイ３より画像形成部４を経由して排紙トレイ２２に至る搬送経路Ｐが構成されており、給紙部５によって給紙トレイ３に支持される用紙Ｓが搬送経路Ｐに供給されるようになっている。
【００１９】
ここで、給紙トレイ３は、複数枚の用紙Ｓを積層状態で支持可能であり、これら複数枚の用紙Ｓを一枚ずつ分離しながら搬送経路Ｐに給紙するための分離パッド３１を有する。なお、分離パッド３１は摩擦部材の一例である。
また、図３に示すように、給紙トレイ３は、装置本体２（筐体２１）の下部において、用紙Ｓの給紙方向（即ち、本実施形態においては後方から前方に向かう矢印Ｘ（図１を参照）の方向）と平行な方向へ引出し可能に支持されている。
【００２０】
そして、図１に示すように、装置本体２は、給紙トレイ３に支持された用紙Ｓを繰出す給紙ローラ５１と、給紙ローラ５１よりも当該給紙ローラ５１の給紙方向下流側に配置され、分離パッド３１とニップ点Ｎ（図４を参照）を形成する分離ローラ５２と、ニップ点Ｎを通過した用紙Ｓを案内するシュート５４と、シュート５４の給紙方向下流側に順に配置される中間搬送ローラ対５３Ａ、５３Ｂ及びレジストローラ対５５Ａ、５５Ｂとを有している。
【００２１】
このような構成からなる給紙部５においては、給紙トレイ３に収容される用紙Ｓは、給紙ローラ５１により分離ローラ５２側へ繰り出されるとともに、分離ローラ５２及び分離パッド３１により一枚ずつ分離されて搬送経路Ｐに向かって給紙される。
【００２２】
分離ローラ５２及び分離パッド３１より給紙された用紙Ｓは、湾曲形状に形成されたシュート５４に沿って上方に案内されつつ中間搬送ローラ対５３Ａ、５３Ｂを通過し、搬送経路Ｐにおける中間搬送ローラ対５３Ａ、５３Ｂよりも下流側に配置されるレジストローラ対５５Ａ、５５Ｂにより、画像形成部４に向けて搬送される。レジストローラ対５５Ａ、５５Ｂは、搬送される用紙Ｓの先端の移動を規制して一旦停止させた後、用紙Ｓを所定のタイミングにて画像形成部４の転写位置に向けて搬送する。
【００２３】
画像形成部４は給紙トレイ３の上方に配置されており、給紙部５から搬送されてきた用紙Ｓの表面に画像を転写するプロセスカートリッジ４０と、プロセスカートリッジ４０の感光体ドラム４１の表面を露光する露光ユニット４２と、プロセスカートリッジ４０により用紙Ｓに転写された画像を定着させる定着ユニット６０とを備えている。
【００２４】
プロセスカートリッジ４０は、現像ローラ４３と、感光体ドラム４１と、転写ローラ４４等とを備えている。
露光ユニット４２は、レーザダイオード、ポリゴンミラー、レンズ、及び反射鏡等を備えており、画像形成装置１に入力された画像データに基づいてレーザ光を感光体ドラム４１へ向けて照射することにより、感光体ドラム４１の表面を露光する。
【００２５】
感光体ドラム４１は、現像ローラ４３に隣接して配置されている。感光体ドラム４１の表面は、図示しない帯電器により一様に正帯電された後、露光ユニット４２により露光される。感光体ドラム４１の露光された部分は他の部分よりも電位が低くなり、感光体ドラム４１に画像データに基づく静電潜像が形成される。
そして、静電潜像が形成された感光体ドラム４１の表面に、正に帯電されたトナーが現像ローラ４３から供給されることにより、静電潜像が顕像化されて現像剤像となる。
【００２６】
転写ローラ４４は、感光体ドラム４１に対向配置され、図示しないバイアス印加手段により負の転写バイアスが印加される。転写ローラ４４の表面に転写バイアスがされている状態で、現像剤像が形成された感光体ドラム４１と転写ローラ４４との間（転写位置）で用紙Ｓを挟持しなから搬送することにより、感光体ドラム４１の表面に形成された現像剤像が用紙Ｓの表面に転写される。
【００２７】
定着ユニット６０は、加熱ローラ６１と加圧ローラ６２とを備えている。加熱ローラ６１はモータ６からの駆動力により回転駆動され、加熱ローラ６１は図示しない電源から電力を供給することで加熱される。加圧ローラ６２は加熱ローラ６１に対向配置されており、加熱ローラ６１に密着して従動回転する。現像剤像が転写された用紙Ｓが定着ユニット６０に搬送されてくると、加熱ローラ６１と加圧ローラ６２との間で用紙Ｓを挟持しながら搬送し、用紙Ｓに現像剤像を定着させる。
【００２８】
排出ユニット７は排出ローラ対７１、７１を備えており、定着ユニット６０から搬送されてくる用紙Ｓを筐体２１の外部へ向けて排出する。具体的には、定着ユニット６０から搬送されてくる用紙Ｓを、排出ローラ対７１、７１により排紙トレイ２２に排出する。
【００２９】
［シュート５４の構成］
次に、シュート５４の構成について、図４〜図７を用いて説明する。
図４及び図５示すように、シュート５４は、装置本体２において、主に分離ローラ５２よりも用紙Ｓの給紙方向（図４及び図５における矢印Ｙの方向）下流側に配設され、上述したように、給紙トレイ３より繰り出された用紙Ｓを、搬送経路Ｐ（図１を参照）に案内するためのガイド部材として設けられるものである。
【００３０】
シュート５４は、ニップ点Ｎの近傍より搬送経路Ｐに沿って上方に湾曲して形成されており、用紙Ｓの給紙方向、即ち前記搬送方向（矢印Ｙの方向）上流側の端部である下端部５４Ａ（図５を参照）が、給紙ローラ５１と用紙Ｓとの接触点Ｑにおける接線Ｌよりも下方、且つ分離ローラ５２のニップ点Ｎよりも前記搬送方向（矢印Ｙの方向）上流側となる領域まで延出している。
【００３１】
このように、本実施形態における画像形成装置１においては、給紙トレイ３と装置本体２側のシュート５４との境界部を構成するシュート５４の下端部５４Ａが、給紙ローラ５１と用紙Ｓとの接触点Ｑにおける接線よりも下方、且つ分離ローラ５２のニップ点Ｎよりも用紙Ｓの給紙方向上流側となる領域まで延出する位置、つまり搬送される用紙Ｓの後端が接触しない箇所に位置するように構成されている。
即ち、給紙ローラ５１及び分離ローラ５２によって給紙トレイ３より繰り出される用紙Ｓの軌跡上から外れた位置に、シュート５４の下端部５４Ａが位置するようになっている。
【００３２】
従って、例えば図７に示すように、従来の画像形成装置１０１においては、用紙Ｓを案内するシュート１５４が、給紙トレイ１０３側に設けられる第１シュート１５４Ａと、装置本体１０２側に設けられる第２シュート１５４Ｂとに分割された構成となっており、第１シュート１５４Ａと第２シュート１５４Ｂとの間の境界部に形成される段差に用紙Ｓの後端が接触することにより跳ね音が発生する虜があったが、本実施形態における画像形成装置１においては、このような跳ね音を抑制することができる。
【００３３】
ここで、図６に示すように、給紙トレイ３において、分離パッド３１における用紙Ｓの給紙方向、即ち前記搬送方向（図４中の矢印Ｙの方向）の下流側には案内ガイド部３２が配置されており、当該案内ガイド部３２は、シュート５４に向かって突出し、搬送される用紙Ｓを当該シュート５４に向けて案内するように構成されている。
このような構成を有することにより、本実施形態における画像形成装置１においては、分離パッド３１と分離ローラ５２（図４を参照）とにより形成されるニップ点Ｎを通過した用紙Ｓを、案内ガイド部３２によってスムーズにシュート５４に導くことができるため、用紙Ｓの搬送方向における上流側の端部が跳ね上がってシュート５４に衝突するのを防止し、跳ね音の発生をより効果的に抑制することができる。
【００３４】
より具体的には、給紙トレイ３は、用紙Ｓの給紙方向（図４中の矢印Ｙの方向）における分離パッド３１及び分離ローラ５２の下流側に配置され、例えば用紙Ｓに付着する紙粉を除去するための紙粉取ローラ５６を有しており、案内ガイド部３２は、紙粉取ローラ５６における用紙Ｓの給紙方向と直交する方向、即ち紙粉取ローラ５６の軸方向の両端部に設けられている。
このような構成を有することにより、本実施形態における画像形成装置１においては、搬送される用紙Ｓとともに紙粉が装置本体２内に持ち込まれるのを抑制しつつ、当該用紙Ｓを案内ガイド部３２によってスムーズにシュート５４の当接面に導くことができる。
【００３５】
ところで、図４及び図５に示すように、給紙トレイ３内の底面には押圧板３３が備えられており、当該押圧板３３は、用紙Ｓの給紙方向（図４及び図５中の矢印Ｘの方向）上流側の端部３３Ａにおいて、回動軸３３Ｃを中心として回動可能に構成されている。
また、押圧板３３は、回動軸３３Ｃを中心として上方に回動することにより、給紙トレイ３に支持される用紙Ｓの給紙方向下流側の端部を押し上げるように構成されている。
【００３６】
そして、押圧板３３は、用紙Ｓを押し上げた状態において、その給紙方向下流側の端部（即ち、回動軸３３Ｃ側との給紙方向反対側の端部３３Ｂ）が、シュート５４の給紙方向上流側の端部（即ち、上述した下端部５４Ａ）よりも上方の位置まで変位可能に給紙トレイ３に支持されている。
このような構成を有することにより、本実施形態における画像形成装置１においては、給紙トレイ３に支持される用紙の枚数に拘らず、用紙Ｓを確実にシュート５４の当接面まで導くことができる。
【００３７】
なお、図６に示すように、シュート５４における用紙Ｓとの当接面、即ち後方側の面は平坦に形成されている。
このような構成を有することにより、例えば当接面上にリブ等を設けた場合のように、シュート５４によって案内されながら搬送される用紙Ｓが擦れて、シュート５４の耐久性が低下するようなこともない。
【００３８】
また、シュート５４は、板金によって形成されており、用紙Ｓに対して平坦な当接面を有するシュート５４を、安価に形成可能な構成となっている。
【００３９】
[本実施形態おける効果]
本実施形態においては、画像形成装置１は上述のように構成されている。
つまり、画像形成装置１は、用紙Ｓを支持可能であり、用紙Ｓを一枚ずつ分離しながら給紙するための分離パッド３１を有する給紙トレイ３と、給紙トレイ３を用紙Ｓの給紙方向と平行な方向へ引出し可能に支持する装置本体２と、を備え、装置本体２は、給紙トレイ３に支持された用紙Ｓを繰り出す給紙ローラ５１と、給紙ローラ５１よりも当該給紙ローラ５１の給紙方向下流側に配置され、分離パッド３１とニップ点Ｎを形成する分離ローラ５２と、ニップ点Ｎを通過した用紙Ｓを案内するシュート５４と、を有し、シュート５４は、前記給紙方向上流側の下端部５４Ａが、給紙ローラ５１と用紙Ｓとの接触点Ｑにおける接線Ｌよりも下方、且つ分離ローラ５２のニップ点Ｎよりも記給紙方向上流側となる領域まで延出している。
【００４０】
このような構成により、装置本体２側のシュート５４と給紙トレイ３との境界部が、搬送される用紙Ｓの後端が接触しない箇所に位置することとなるため、従来の画像形成装置１０１のような、装置本体１０２側の第１シュート１５４Ａと給紙トレイ１０３側の第２シュート１５４Ｂとの境界部に用紙の後端が接触することにより発生していた跳ね音を抑制することができる。
【００４１】
また、給紙トレイ３は、分離パッド３１の給紙方向下流側に配置され、シュート５４に向かって突出し、搬送される用紙Ｓをシュート５４に向けて案内する案内ガイド部３２を有する。
【００４２】
このような構成により、分離パッド３１と分離ローラ５２とにより形成されるニップ点Ｎを通過した用紙Ｓを、案内ガイド部３２によってスムーズにシュート５４に導くことができるため、用紙Ｓの搬送方向における上流側の端部が跳ね上がってシュート５４に衝突するのを防止し、跳ね音の発生を抑制することができる。
【００４３】
また、給紙トレイ３は、給紙トレイ３に支持される用紙Ｓを押し上げる押圧板３３を備え、押圧板３３は、給紙方向下流側の端部３３Ｂが、シュート５４の前記給紙方向上流側の端部（即ち、下端部５４Ａ）よりも上方の位置まで変位可能に給紙トレイ３に支持されている。
【００４４】
このような構成により、給紙トレイ３に支持される用紙Ｓの枚数に拘らず、用紙Ｓを確実にシュート５４の当接面まで導くことができる。
【００４５】
また、シュート５４の用紙Ｓとの当接面は平坦に形成されている。
【００４６】
このような構成により、例えばシュート５４の当接面にリブ等を設けた場合のように、搬送される用紙が擦れてシュート５４の耐久性が低下するようなこともない。
【００４７】
また、シュート５４は、板金によって形成される。
【００４８】
このような構成により、平坦な当接面を有するシュート５４を安価に形成することができる。
【００４９】
また、給紙トレイ３は、用紙Ｓの搬送方向における分離パッド３１及び前記分離ローラ５２の下流側に配置され、用紙Ｓに付着する紙粉を除去するための紙粉取ローラ５６を有し、案内ガイド部３２は、紙粉取ローラ５６の用紙Ｓの搬送方向と直交する方向の両端部に設けられる。
【００５０】
このような構成により、搬送される用紙Ｓとともに紙粉が装置本体２内に持ち込まれるのを抑制しつつ、用紙Ｓを案内ガイド部３２によってスムーズにシュート５４の当接面に導くことができる。
なお、上記実施の形態の画像形成装置１は、画像形成部４に電子写真方式の画像形成部を備えていたが、これに限定されるものではなくたとえば画像形成部４にインクジェット方式のものを用いてもよい。また、シュート５４に金属製の板金を用いていたが、樹脂から形成したシュートを用いてもよい。また、上記実施の形態における摩擦部材として分離パッド３１を用いていたが、公知のリタードローラを用いてもよい。
【符号の説明】
【００５１】
１    画像形成装置
２    装置本体
３    給紙トレイ
３１    分離パッド（摩擦部材）
３２    案内ガイド部
３３    押圧板
３３Ｂ    端部
５１    給紙ローラ
５２    分離ローラ
５４    シュート
５４Ａ    下端部
５６    紙粉取ローラ
Ｌ    接線
Ｎ    ニップ点
Ｑ    接触点
Ｓ    用紙
【図１】
2018162129.tif 000003
【図２】
2018162129.tif 000004
【図３】
2018162129.tif 000005
【図４】
2018162129.tif 000006
【図５】
2018162129.tif 000007
【図６】
2018162129.tif 000008
【図７】
2018162129.tif 000009